(57)【要約】【課題】  待機状態で挿入されたディスク以外の異物がシャーシの内部に入り込むことを防止できる「車載用ディスクプレーヤ」を提供すること。【解決手段】  シャーシ１の前面側にディスク挿入口４と対向する開口２を形成し、このシャーシ１の内部に配設したローラブラケット７の後端側にローラ１０を回転可能に支持すると共に、ローラブラケット７に前端側をディスク挿入口４と同等の幅寸法で開放したガイド面７ａを形成し、ガイド面７ａの前端側を開口２を通ってシャーシ１の外部へ突出させる。そして、待機状態でローラブラケット７を傾斜姿勢に保持することにより、ローラ１０をガイド部材６に近接させると共にガイド面７ａの後端側を前端側よりも高い位置に設定し、ディスク以外の異物Ｗがディスク挿入口４から挿入されたとしても、この異物Ｗを傾斜するガイド面７ａに沿って落下させてシャーシ１の外部に排出するようにした。【選択図】  図２
2006202366.tif 000002
【特許請求の範囲】
【請求項１】
ディスク挿入口に対向する開口が形成されたシャーシと、このシャーシの内部に配設されたガイド部材と、このガイド部材の下方に揺動可能に配設されたローラブラケットと、このローラブラケットの後端側に回転可能に支持されたローラとを備え、前記ローラを回転駆動して該ローラと前記ガイド部材との間に挟持されたディスクを自動搬送する車載用ディスクプレーヤにおいて、
前記ローラブラケットに前端側を開放したガイド面を形成し、前記シャーシ内にディスクが装填されていない待機状態にあるとき、前記ローラが前記ガイド部材に近接するように前記ローラブラケットを傾斜させて前記ガイド面の後端側を前端側よりも高い位置に保持することより、前記ディスク挿入口から前記シャーシ内に挿入された異物を前記ガイド面に沿って前記開口の外部へ落下させるようにしたことを特徴とする車載用ディスクプレーヤ。
【請求項２】
請求項１の記載において、前記ローラブラケットに前記ガイド面の前端部よりも上方に位置する誤挿入防止部を設け、任意のディスクが前記シャーシ内に装填されてプレイ状態にあるとき、前記ローラが前記ガイド部材から離れる方向に前記ローラブラケットを揺動させることにより、前記誤挿入防止部を前記ディスク挿入口の背面側に対向させたことを特徴とする車載用ディスクプレーヤ。
【請求項３】
請求項２の記載において、前記誤挿入防止部が前記ディスク挿入口の全体を塞ぐ板状部材からなり、この誤挿入防止部の下端と前記ガイド面の前端との間に横長形状のスリットが形成されていることを特徴とする車載用ディスクプレーヤ。
【請求項４】
請求項１〜３のいずれか１項の記載において、前記シャーシの前記開口の下方位置に収納部材を配設し、前記ガイド面を通って前記開口の外部へ落下した異物を前記収納部材内に収納するようにしたことを特徴とする車載用ディスクプレーヤ。
【発明の詳細な説明】
【技術分野】
【０００１】
本発明は、ＣＤ（コンパクトディスク）やＤＶＤ（デジタルバーサタイルディスク）等のディスクに情報を記録および／または再生する車載用ディスクプレーヤに係り、特に、ガイド部材との間にディスクを挟持したローラを回転駆動することにより該ディスクの搬入や搬出を行うディスク搬送機構に関するものである。
【背景技術】
【０００２】
従来より、この種の車載用ディスクプレーヤのディスク搬送機構として、ローラを回転可能に支持するローラブラケットの前端側に突起を形成し、ディスクのプレイ時にこの突起をディスク挿入口の背面側に位置させることにより、２枚目のディスクの誤挿入を防止するようにしたものが知られている（例えば、特許文献１参照）。
【０００３】
図４はかかるディスク搬送機構を備えた従来の車載用ディスクプレーヤを示す要部平面図、図５は該ディスクプレーヤの待機状態を示す要部断面図、図６は該ディスクプレーヤのプレイ状態を示す要部断面図である。これらの図に示すように、ディスクプレーヤの外殻を形成するシャーシ１００の前面側には横長形状の開口１０１が形成されており、この開口１０１はノーズ部材（前面パネル）１０２に開設されたディスク挿入口１０３と対向している。シャーシ１００の内部には上方位置にガイド部材１０４が配設されており、このガイド部材１０４の下方位置にはローラブラケット１０５が配設されている。このローラブラケット１０５は図示せぬドライブシャーシに揺動可能に支持されており、その後端側が図示せぬばね部材によってガイド部材１０４の下面に近接する方向へ弾性付勢されている。ローラブラケット１０５の後端側にはゴム製のローラ１０６が回転可能に支持されており、このローラ１０６は図示せぬモータを駆動源として正逆両方向へ回転駆動されるようになっている。また、ローラブラケット１０５の前端側には直角に折れ曲がる起立部１０５ａが形成されると共に、この起立部１０５ａの上端に合成樹脂あるいはゴム製の突起１０７が形成されており、これら起立部１０５ａと突起１０７は開口１０１を通ってノーズ部材１０２の背面側に対向している。なお、前記ドライブシャーシには図示せぬターンテーブルや光ピックアップ等が搭載されており、このドライブシャーシはロック機構によりシャーシ１００に対してロック／アンロック状態に切り替えられるようになっている。
【０００４】
このように概略構成された車載用ディスクプレーヤにおいて、図５に示すように、シャーシ１００内にディスクＤが装填されていない待機状態（イジェクト状態）にあるとき、前記ドライブシャーシはシャーシ１００に対してロック状態とされ、ローラブラケット１０５はばね部材の弾性付勢力を受けて傾斜状態に保持されている。これによりローラ１０６がガイド部材１０４の下面に近接すると共に、起立部１０５ａと突起１０７がディスク挿入口１０３よりも下方位置へ移動する。この状態でディスクＤをディスク挿入口１０３と開口１０１を通ってシャーシ１００の内部に挿入し、該ディスクＤをガイド部材１０４とローラ１０６との間で挟持した状態でローラ１０６を順方向（図５の矢印Ａ方向）へ回転駆動することにより、ディスクＤがイジェクト位置からプレイ位置へと挿入方向（矢印Ｘ１方向）に自動搬送される。
【０００５】
そしてディスクＤがプレイ位置まで搬送されると、図６に示すように、ローラブラケット１０５が反時計回り方向へ揺動されて略水平姿勢になることにより、ローラ１０６がディスクＤの回転を妨げないようにガイド部材１０４から離反すると共に、起立部１０５ａと突起１０７が上昇位置へ移動してディスク挿入口１０３の背面側に対向する。これによりユーザが誤って２枚目のディスクをディスク挿入口１０３から挿入しようとしても、該ディスクは起立部１０５ａと突起１０７に邪魔されて開口１０１を通過できず、ディスクの２重挿入がこれら起立部１０５ａと突起１０７によって阻止されている。また、かかるプレイ位置でドライブシャーシはシャーシ１００に対してアンロック状態に切り替わって耐振モードとなり、ディスクＤのプレイ中に外部から振動や衝撃が加わっても音飛び等が発生しないようになる。
【０００６】
なお、ディスクＤがプレイ位置にある時に、ローラブラケット１０５を時計回り方向へ回動させてガイド部材１０４とローラ１０６とでディスクＤを挟持し、さらにローラ１０６を逆方向（図５の矢印Ｂ方向）へ回転駆動することにより、ディスクＤがプレイ位置からイジェクト位置へと排出方向（矢印Ｘ２方向）に自動搬送されるため、このディスクＤをディスク挿入口１０３から取り出すことができる。
【特許文献１】特開平１１−８６３９９号公報（第２頁、図１）
【発明の開示】
【発明が解決しようとする課題】
【０００７】
前述の如きディスク搬送機構を備えた従来の車載用ディスクプレーヤでは、ディスクＤのプレイ中にローラブラケット１０５に設けた起立部１０５ａと突起１０７をシャーシ１００の開口１０１とディスク挿入口１０３との間に位置させ、ディスク挿入口１０３から誤挿入された２枚目のディスクをこの起立部１０５ａと突起１０７に突き当てることにより、該ディスクがシャーシ１００の開口１０１を通過して回転中のディスクＤに接触しないようになっているので、任意のディスクのプレイ中に他のディスクが２重挿入される事故を未然に防止することができる。しかしながら、待機状態でディスク以外の異物がディスク挿入口１０３から挿入されると、この異物がローラブラケット１０５の下方に位置する開口１０１を通ってシャーシ１００の内部に入り込んだり、起立部１０５ａと突起１０７の上方からローラブラケット１０５の内底面へ落下した後、プレイ状態へ移行するときのローラブラケット１０５の揺動に伴ってシャーシ１００の内部に入り込むことがあり、その場合、シャーシ１００内に入り込んだ異物によってメカニズムの機能が阻害される虞があった。特に、一般的な車載用ディスクプレーヤではシャーシの下部にプリント基板が配置されている関係上、コインやクリップ等の導電性材料からなる異物がシャーシ内に入り込むと、この異物がプリント基板の配線パターン上に落下して短絡事故を招来するという問題があった。
【０００８】
本発明は、このような従来技術の実情に鑑みてなされたもので、その目的は、待機状態で挿入されたディスク以外の異物がシャーシの内部に入り込むことを防止できる車載用ディスクプレーヤを提供することにある。
【課題を解決するための手段】
【０００９】
本発明は、ディスク搬送機構の構成部材であるローラブラケットに前端側を開放したガイド面を形成し、待機状態でこのガイド面の後端側が前端側よりも高くなるようにローラブラケットを傾斜姿勢に保持することにより、ディスク以外の異物がディスク挿入口から挿入されたとき、この異物をガイド面に沿ってシャーシの外部へ落下させるようにした。
【発明の効果】
【００１０】
本発明の車載用ディスクプレーヤは、ローラを支持するローラブラケットに前端側を開放したガイド面を形成し、シャーシ内にディスクが装填されていない待機状態にあるとき、このガイド面の後端側が前端側よりも高い位置になるようにローラブラケットを傾斜姿勢に保持させたので、待機状態でディスク以外の異物がディスク挿入口からシャーシ内に挿入されたとしても、この異物を傾斜するガイド面に沿って落下させることにより該ガイド面の開放端からシャーシの外部に排出させることができる。
【発明を実施するための最良の形態】
【００１１】
本発明は、ディスク挿入口に対向する開口が形成されたシャーシと、このシャーシの内部に配設されたガイド部材と、このガイド部材の下方に揺動可能に配設されたローラブラケットと、このローラブラケットの後端側に回転可能に支持されたローラとを備え、前記ローラを回転駆動して該ローラと前記ガイド部材との間に挟持されたディスクを自動搬送する車載用ディスクプレーヤにおいて、前記ローラブラケットに前端側を開放したガイド面を形成し、前記シャーシ内にディスクが装填されていない待機状態にあるとき、前記ローラが前記ガイド部材に近接するように前記ローラブラケットを傾斜させて前記ガイド面の後端側を前端側よりも高い位置に保持することより、前記ディスク挿入口から前記シャーシ内に挿入された異物を前記ガイド面に沿って前記開口の外部へ落下させるように構成した。
【００１２】
このように構成された車載用ディスクプレーヤでは、シャーシ内にディスクが装填されていない待機状態において、ローラブラケットの後端側に支持されたローラをガイド部材に近接させてガイド面の後端側が前端側よりも高い位置に保持することにより、ディスク以外の異物がディスク挿入口からシャーシの開口を通ってローラブラケット内に挿入されたとしても、この異物を傾斜するガイド面に沿って落下させて該ガイド面の開放端からシャーシの外部に排出することができるため、異物がシャーシの内部に入り込んで信頼性を低下させることを確実に防止できる。
【００１３】
上記の構成において、前記ローラブラケットに前記ガイド面の前端部よりも上方に位置する誤挿入防止部を設け、任意のディスクが前記シャーシ内に装填されてプレイ状態にあるとき、前記ローラが前記ガイド部材から離れる方向に前記ローラブラケットを揺動させることにより、前記誤挿入防止部を前記ディスク挿入口の背面側に対向させるようにすると、ローラブラケットに異物の排出機能と２枚目のディスクの誤挿入防止機能とを持たせることができるため、誤挿入防止機構を別途設けた場合に比べて構造を簡略できて好ましい。
【００１４】
この場合において、前記誤挿入防止部は２枚目のディスクがシャーシ内に挿入されるのを阻止できるものであれば、その形成位置や大きさ等は特に限定されないが、前記誤挿入防止部が前記ディスク挿入口の全体を塞ぐ板状部材からなり、この誤挿入防止部の下端と前記ガイド面の前端との間に横長形状のスリットが形成されていると、プレイ状態で２枚目のディスクだけでなく異物の挿入をも防止できて好ましい。
【００１５】
また、上記の構成において、前記シャーシの前記開口の下方位置に収納部材を配設し、前記ガイド面を通って前記開口の外部へ落下した異物を前記収納部材内に収納するように構成すると、シャーシの外部へ排出された異物を収納部材内に溜めることができて好ましい。
【実施例】
【００１６】
実施例について図面を参照して説明すると、図１は本発明の実施例に係る車載用ディスクプレーヤの斜視図、図２は該ディスクプレーヤの待機状態を示す要部断面図、図３は該ディスクプレーヤのプレイ状態を示す要部断面図である。
【００１７】
これらの図において、符号１はディスクプレーヤの外殻を形成する箱形のシャーシであり、このシャーシ１の前面側には横長形状の開口２が形成されると共に、シャーシ１の前面側上端にはトップシャーシ１ａが固定されている。シャーシ１の前面側は車内のインパネ等に露出するノーズ部材（前面パネル）３によって覆われており、シャーシ１の開口２はノーズ部材３に開設されたディスク挿入口４と所定間隔を存して対向している。シャーシ１の前面側下部には上面を開放した箱形形状の収納部材５が取り付けられており、この収納部材５の上面開放端はシャーシ１の開口２の下端縁とほぼ連続している。
【００１８】
シャーシ１の内部にはトップシャーシ１ａの裏面側に位置するガイド部材６が配設されており、このガイド部材６の下方位置には後述するローラブラケット７が配設されている。また、シャーシ１の内部にはターンテーブル８や図示せぬ光ピックアップ等を搭載したドライブシャーシＣが配設されており、このドライブシャーシＣはダンパ２０等を介してシャーシ１内で弾性支持されていると共に、図示しないロック機構によりシャーシ１に対してロック／アンロック状態に切り替えられるようになっている。さらに、シャーシ１の下部にはプリント基板９が配設されており、このプリント基板９には各種回路部品が実装されている。
【００１９】
ローラブラケット７は前記ドライブシャーシＣあるいはシャーシ１の側面に軸７ｃを介して回転可能に支持されており、図示せぬばね部材によってその後端側（図２，３の右端側）がガイド部材６の下面に近接する方向へ弾性付勢されている。ローラブラケット７の前端側は開口２を通ってシャーシ１の外部へ突出しており、ローラブラケット７の後端側には図示せぬモータを駆動源として正逆両方向へ回転駆動されるゴム製のローラ１０が回転可能に支持されている。また、ローラブラケット７には開口２の幅全体に亘って延びる平坦なガイド面７ａが形成されると共に、このガイド面７ａの左右両側から起立する一対の起立片７ｂが形成されており、これら起立片７ｂの前面側上部は板状の橋絡部１１によって繋がれている。この橋絡部１１は誤挿入防止部として機能するもので、橋絡部１１の下端とガイド面７ａの前端との間には横長形状のスリット１２が形成されている。このスリット１２はディスク挿入口４と同等の幅寸法を有しており、ガイド面７ａの前端はスリット１２によって開放されている。なお、必要に応じて橋絡部１１の表面をネオプレンゴム等の緩衝部材で被覆したり、合成樹脂で成形した橋絡部１１をローラブラケット７に後付けするようにしても良い。
【００２０】
このように概略構成されたディスクプレーヤにおいては、図２に示すように、シャーシ１内にディスクが装填されていない待機状態（イジェクト状態）にあるとき、前記ドライブシャーシＣはシャーシ１に対してロック状態とされ、ローラブラケット７はガイド面７ａの後端側が前端側よりも高くなる傾斜状態に保持されている。これによりローラ１０が図示せぬばね部材の弾性付勢力を受けてガイド部材６の下面に近接すると共に、橋絡部１１の上端がディスク挿入口４よりも下方位置へ移動する。この状態でユーザが誤ってコイン等のディスク以外の異物Ｗをディスク挿入口４から挿入すると、図２の破線で示すように、この異物Ｗはシャーシ１の開口２を通ってローラブラケット７のガイド面７ａ上に落下した後、自重によってガイド面７ａ上を滑りながらスリット１２からシャーシ１の外部に排出され、最終的に収納部材５の上部開放端から落下して内底部に溜められる。したがって、異物Ｗがシャーシ１の内部に入り込むことはなく、異物Ｗの侵入に起因するメカニズムの機能阻害やプリント基板９の短絡事故等が確実に防止されている。
【００２１】
かかる待機状態でディスクＤをディスク挿入口４から開口２を通ってシャーシ１の内部に挿入し、該ディスクＤをガイド部材６とローラ１０との間で挟持した状態でローラ１０を順方向へ回転駆動することにより、ディスクＤがイジェクト位置からプレイ位置へと挿入方向に自動搬送される。そしてディスクＤがターンテーブル８に装着されるプレイ位置まで搬送されると、図３に示すように、ローラブラケット７が反時計回り方向へ回動されてディスクＤの面とほぼ平行な水平姿勢となるため、ローラ１０がガイド部材６から離反すると共に、橋絡部１１が上昇してディスク挿入口４の背面側に対向し、ドライブシャーシＣもロック状態からアンロック状態に切り替わってプレイ状態となる。このプレイ状態でスピンドルモータ１３が回転駆動されると、ターンテーブル７とディスクＤが一体的に回転し、光ピックアップによってディスクＤに対する情報の記録および／または再生が行われる。
【００２２】
また、このように任意のディスクＤをプレイ動作中に、ユーザが誤って２枚目のディスクをディスク挿入口４から挿入すると、誤挿入されたディスクの挿入方向における先端部が橋絡部１１に突き当たって開口２を通過できないため、ディスクの２重挿入が橋絡部１１によって防止されている。しかも、橋絡部１１はディスク挿入口４を幅方向の全範囲に亘って塞ぐ板状部材からなるため、プレイ状態における異物Ｗの挿入も橋絡部１１によって防止されている。なお、ディスクＤがプレイ位置にある時にイジェクト操作が行われると、ローラブラケット７が軸７ａを中心に反時計方向へ回動し、ガイド部材６とローラ１０とでディスクＤが挟持され、この状態でローラ１０を逆方向へ回転駆動することにより、ディスクＤがプレイ位置からイジェクト位置へと排出方向に自動搬送されるため、このディスクＤをディスク挿入口４から取り出すことができる。
【００２３】
このように上記実施例では、ローラブラケット７に前端側をディスク挿入口４と同等の幅寸法で開放したガイド面７ａを形成し、待機状態でローラブラケット７を傾斜姿勢に保持してガイド面７ａの後端側が前端側よりも高くなるようにしたので、ディスク以外の異物Ｗがディスク挿入口４から挿入されたとしても、この異物Ｗを傾斜するガイド面７ａに沿って落下させてシャーシ１の外部に排出することができ、シャーシ１内に異物Ｗが侵入することに起因する信頼性の低下を確実に防止できる。また、ローラブラケット７の前端面に板状の橋絡部１１を形成すると共に、この橋絡部１１の下方に形成した横長形状のスリット１２によってガイド面７ａの前端側を開放し、任意のディスクＤのプレイ動作時にローラブラケット７を水平姿勢に揺動させることにより、橋絡部１１を上昇させてディスク挿入口４の全体を塞ぐようにしたので、プレイ動作中に２枚目のディスクが誤挿入されることを防止できるのみならず、異物Ｗが挿入されることも防止できる。さらに、シャーシ１の開口２の下方位置に収納部材５を配設し、この収納部材５の上面開放端を開口２の下端縁と連続させたので、ガイド面７ａに沿ってシャーシ１の外部に排出された異物Ｗを収納部材５内に溜めることができる。
【００２４】
なお、上記実施例では、ローラブラケット７にディスクの誤挿入防止部として機能する橋絡部１１を一体形成した場合について説明したが、ローラブラケット７以外の例えばトップシャーシ１ａ側に別の誤挿入防止機構を配設し、ローラブラケット７の回動に伴ってこの誤挿入防止機構を駆動してディスク挿入口４の後端側を閉塞することも可能であり、この場合、ガイド面７ａの前端側上方を全て開放して橋絡部１１を省略することができる。
【００２５】
また、上記実施例では、ガイド面７ａに沿って排出された異物Ｗを収納するための収納部材５をシャーシ１の前面側下部に取り付けた場合について説明したが、このような収納部材５をノーズ部材３側に設けることも可能であり、特に、パネルに対して着脱可能なノーズ部材を採用した場合、ノーズ部材の取外し時に収納部材に溜められた異物を捨てることができる。
【００２６】
また、箱状の収納部材５は必須ではなく、シャーシ１の前面とノーズ部材３の裏面との間に落下した異物が後方へ移動しないように、シャーシ１の前面下端部にこのシャーシ１の幅寸法全体に亘って壁部を設けることにより、異物によるプリント基板９の短絡事故を防ぐことができる。
【図面の簡単な説明】
【００２７】
【図１】本発明の実施例に係る車載用ディスクプレーヤの斜視図である。
【図２】該ディスクプレーヤの待機状態を示す要部断面図である。
【図３】該ディスクプレーヤのプレイ状態を示す要部断面図である。
【図４】従来例に係る車載用ディスクプレーヤの要部平面図である。
【図５】該ディスクプレーヤの待機状態を示す要部断面図である。
【図６】該ディスクプレーヤのプレイ状態を示す要部断面図である。
【符号の説明】
【００２８】
１  シャーシ
２  開口
３  ノーズ部材
４  ディスク挿入口
５  収納部材
６  ガイド部材
７  ローラブラケット
７ａ  ガイド面
７ｂ  起立片
９  プリント基板
１０  ローラ
１１  橋絡部
１２  スリット
Ｄ  ディスク
Ｗ  異物
【図１】
2006202366.tif 000003
【図２】
2006202366.tif 000004
【図３】
2006202366.tif 000005
【図４】
2006202366.tif 000006
【図５】
2006202366.tif 000007
【図６】
2006202366.tif 000008